(57)【要約】【課題】電話通信中、もしくは呼び出し中にその相手にメールを送る際、メールを作成し送信する状態になるまでに入力する指示を１つの指示で実現することのできるデータ通信装置を提供することを目的とする。【解決手段】電話通信手段１の電話通信中もしくは呼び出し中に、メール作成機能起動指示手段２によるメール作成機能起動指示のみで、通信切断手段３により通信を切断し、メール作成機能起動手段４によりメール作成機能を起動させ、通信先情報記憶手段６に電話番号と関連付けて記憶されたメールアドレスをメール送信相手に設定した状態にする。その際通信相手が複数のアドレスを持つ場合には、メール転送相手選択手段５によりアドレスを選択できるようにする。【選択図】図１
2007020053.tif 000002
【特許請求の範囲】
【請求項１】
電話通信およびメール送受信の機能を有する通信手段を備えたデータ通信装置において、
前記通信手段によって通信する相手のデータ通信装置が所有する電話通信のための電話番号とメール送受信用のメールアドレスを同一の通信相手ごとに関連付けて記憶する通信先情報記憶手段と、
メール作成機能起動指示を行なうメール作成機能起動指示手段と、
前記メール作成機能起動指示手段のメール作成機能起動指示に基づき、メール作成機能を起動するメール作成機能起動手段と、
電話通話中、または呼び出し中に、前記メール作成機能起動指示手段が起動されたとき、その相手のデータ転送装置の電話番号を取得して通信を切断する通信切断手段と、
取得した電話番号を前記通信先情報記憶手段に記憶されている電話番号と照合し、合致した電話番号に関連付けられたメールアドレスを前記通信先情報記憶手段から取り出して、メール送信相手先に設定するメール転送相手選択手段と、
を備えたデータ通信装置。
【請求項２】
通信切断手段は、電話通話中、または呼び出し中に、メール作成機能起動指示手段が起動されたとき、その相手のデータ転送装置の電話番号を取得し、取得した電話番号が通信先情報記憶手段にあるかどうかを確認し、合致した電話番号がある場合は、関連付けられたメールアドレスがあるかどうかを確認し、メールアドレスがある場合は、メール送信相手先に設定し、通信を切断し、メール作成機能が起動することを特徴とする請求項１記載のデータ通信装置。
【請求項３】
通信切断手段は、取得した電話番号が通信先情報記憶手段にあるかどうかを確認し、合致した電話番号がない場合、もしくは、合致した電話番号があっても関連付けられたメールアドレスがない場合は、通信を切断せず、通話もしくは呼び出しの状態に戻ることを特徴とする請求項２記載のデータ通信装置。
【請求項４】
電話通話中、または呼び出し中に、メール作成機能起動指示手段が起動するメール作成機能起動手順と、
その相手の電話番号を取得して通信を切断する通信切断手順と、
取得した電話番号を、通信する相手のデータ通信装置が所有する電話番号とメールアドレスが関連付けて記憶された通信先情報記憶手段に記憶されている電話番号と照合し、合致した電話番号に関連付けられたメールアドレスを前記通信先情報記憶手段から取り出して、メール送信相手先に設定するメール転送相手選択手順と、
からなるデータ通信方法。
【発明の詳細な説明】
【技術分野】
【０００１】
本発明は、携帯電話のような電話通信とデータ通信の両方の機能を有するデータ通信装置およびデータ通信方法に関する。
【背景技術】
【０００２】
近年、携帯電話に代表されるように、特定の相手との通話を行うと共にメールの送受信を行うことが可能なデータ通信装置が知られている。
【０００３】
従来のデータ通信装置では、現在通話している、もしくは通話呼び出しを行っている相手に対してメールを送信しようとする際には、利用者は下記のような操作をする必要がある。
【０００４】
１．相手先のデータ通信装置の電話番号を入力、もしくは予め登録されている複数の相手先のデータ通信装置の電話番号から選択することにより入力して発信、相手先との通話を行う。相手先が着信に応じない場合には呼び出しを続ける。
【０００５】
２．通話、もしくは呼び出しを中断するため、通信切断指示のボタンを押下。
【０００６】
３．メール作成のため、メール作成機能起動指示のボタンを押下。
【０００７】
４．同じ相手先をメールの宛先に選択するため、メールアドレスを入力、もしくは予め登録されている複数の相手先のデータ通信装置のメールアドレスから選択することにより入力する。
【０００８】
５．メールを作成し、相手先に送信する。
【０００９】
上記の操作を行うことで、データ通信装置を電話通信の状態から、メール作成機能を起動し宛先を選択し送信する状態にすることができる。
【００１０】
このように、電話通信とメール送信の相手先が同じであるにもかかわらず、利用者はメール作成機能起動後にも再度相手先を選択しなければならないといった手間をかける必要がある。
【００１１】
この問題に類似したものが、ファクシミリに代表されるデータ転送装置にも存在する。この種のデータ転送装置を用いる場合、従来のデータ転送装置では、現在通話している相手に対してデータ転送を行う際には、下記のような操作をする必要がある。
【００１２】
１．相手先のデータ転送装置の電話番号を入力して発信、相手先との通話を行う。
【００１３】
２．再度、上記１の電話番号を押下するか、あるいはリダイヤルボタンを押下して相手先を呼び出し、データ転送の指示を行うスタートボタンを押下する。
【００１４】
上記のように、ファクシミリに代表されるデータ転送装置においても、通信相手にデータ転送を行う場合、スタートボタンを押下する前に電話番号を押下、あるいはリダイヤルボタンを押下するといった操作を行わなければならないという手間を必要とした。
【００１５】
この問題に対して、ファクシミリに代表されるデータ転送装置においては、スタートボタン操作だけで、現在通話中の相手のデータ転送装置あるいは直前に通話を終了した相手のデータ転送装置にデータ転送を行うことを可能にするデータ転送装置が開発されている（特許文献１参照）。
【００１６】
この特許文献１では、現在通話中の相手のデータ転送装置あるいは直前に通話を終了した相手のデータ転送装置の電話番号を記憶しておき、スタートボタン押下の際に、その記憶している電話番号の装置にデータ転送を行うことで、データ転送の際に電話番号を押下したり、リダイヤルボタンを押下する手間を省いている。
【特許文献１】特開平４−１６７７５２号公報
【発明の開示】
【発明が解決しようとする課題】
【００１７】
上述のように、携帯電話に代表されるデータ通信装置において、電話通信、もしくは呼び出し中にその相手にメールを送る際、従来のデータ通信装置では、電話通信を行なう電話番号と、メール送受信を行なうためのメールアドレスが異なるため、電話通信中もしくは呼び出し中に一旦通信切断指示を入力し、通信を切断してからメール作成機能起動指示を入力してメール作成機能を起動させ、さらにメール転送相手選択指示を入力してメール転送相手を選択する必要がある。そのため、同じ相手であるにも関わらず、その相手にメールを作成する状態になるまでに、通信切断指示、メール作成機能起動指示、メール転送相手選択指示という複数の指示を入力しなければならないといった課題を有していた。
【００１８】
特許文献１の発明では、データ転送先を、通話を行っている相手のデータ転送装置の電話番号から参照することで得ている。つまり、通話に必要な電話番号の情報と、データ転送に必要な電話番号の情報は同一のものである必要がある。
【００１９】
ところが、携帯電話に代表されるデータ通信装置において、通話に必要な電話番号とデータ転送に必要なメールアドレスは通常同一のものでないため、特許文献１の発明では、通話の状態からその相手にメールを作成し送信する状態にすることが出来ない。
【００２０】
本発明は、上記従来の課題を解決するもので、電話通信中、もしくは呼出し中の状態から、その相手にメールを作成し送信する状態になるまでに入力する指示を１つの指示で実現することのできるデータ通信装置およびデータ通信方法を提供することを目的とする。
【課題を解決するための手段】
【００２１】
上記目的を達成するために、本発明のデータ通信装置は、通信手段によって通信する相手のデータ通信装置が所有する電話通信のための電話番号とメール送受信用のメールアドレスを同一の通信相手ごとに関連付けて記憶する通信先情報記憶手段と、メール作成機能起動指示を行なうメール作成機能起動指示手段と、メール作成機能起動指示手段のメール作成機能起動指示に基づき、メール作成機能を起動するメール作成機能起動手段と、電話通話中、または呼び出し中に、メール作成機能起動指示手段が起動されたとき、その相手のデータ転送装置の電話番号を取得して通信を切断する通信切断手段と、取得した電話番号を前記通信先情報記憶手段に記憶されている電話番号と照合し、合致した電話番号に関連付けられたメールアドレスを通信先情報記憶手段から取り出して、メール送信相手先に設定するメール転送相手選択手段とを備え、電話通信中、もしくは呼び出し中にメール作成機能起動指示の入力だけで通信を切断し、メール作成機能を起動して、相手の電話番号の情報に関連付けられたメールアドレスをデータ通信装置に記憶された通信先の情報から呼び出し、メール送信の宛先を選択した状態にする。
【００２２】
本構成によって、データ通信装置が電話通信中、もしくは呼び出し中の状態から、その相手にメールを作成できる状態にするまでに入力する指示を、電話番号とメールアドレスが異なる場合であっても一度の指示で実現することができる。
【発明の効果】
【００２３】
以上のように、本発明のデータ通信装置によれば、電話通信中、もしくは呼び出し中の状態からその相手にメールを作成できる状態にするまでに入力する指示を、従来は少なくとも通信切断指示、メール作成機能起動指示、メール転送相手選択指示の３つの指示を入力する必要があったことに対して、１つの指示の入力のみで実現することができる。
【発明を実施するための最良の形態】
【００２４】
以下、本発明を実施するための最良の形態について、図面を参照しながら説明する。
【００２５】
（実施の形態１）
図１は実施の形態１におけるデータ通信装置の構成を示すブロック図である。図において、１は相手との電話通信を行う電話通信手段、２はメール作成機能を起動させる指示を行うメール作成機能起動指示手段、３は電話通信を切断する通信切断手段、４はメール作成機能を起動させるメール作成機能起動手段、５はメール転送相手を選択するメール転送相手選択手段、６は通信先のデータ通信装置が所有する電話通信のための電話番号やメール送受信用のメールアドレス等の情報が同一の通信相手ごとに関連付けて記憶された通信先情報記憶手段である。
【００２６】
上記のように構成された本発明のデータ通信装置の動作について図２のフローチャートを参照しながら説明する。
【００２７】
電話通信手段１の通話中もしくは呼出中（S１）に、メール作成機能起動指示手段２によるメール作成機能起動指示（S２）が入力された場合、まず、相手のデータ通信装置の電話番号を取得し、その電話番号に合致する電話番号があるかどうかを通信先情報記憶手段６より確認する（S３）。合致する電話番号があった場合、その電話番号に関連付けられたメールアドレスがあるかどうかを通信先情報記憶手段６より確認する（S４）。ここで、合致する電話番号がない場合、および電話番号があっても関連付けられたメールアドレスがない場合には、通話もしくは呼び出しの状態（S１）に戻る。関連付けられたメールアドレスがある場合には、通信切断手段３により通信を切断（S５）し、メール作成機能起動手段４によりメール作成機能を起動させる（S６）。この時にメール転送先が選択された状態でメール作成機能が起動する。また、関連付けられたメールアドレスが複数個ある場合（S７）には、どのメールアドレスを使うか通信先情報記憶手段６の情報からメール転送相手選択手段５を用いて選択し（S８）、メール送信相手に設定する。
【００２８】
このように、通話中もしくは呼出中に、メール作成機能起動指示手段によるメール作成機能起動指示の入力を行なうだけで、メール送信相手のメールアドレスが設定され、その後のメール送信を行なうことができる。
【産業上の利用可能性】
【００２９】
本発明にかかるデータ通信装置は、通話中、もしくは呼出中の状態から、一度の指示入力でその相手を選択した状態でメール作成機能を起動させることが可能になるので、相手装置との間の通話およびメール転送を行う携帯電話のようなデータ通信装置において、操作の簡略化に有用である。
【図面の簡単な説明】
【００３０】
【図１】本発明の実施の形態におけるデータ通信装置の構成を示すブロック図
【図２】本発明の実施の形態におけるデータ通信装置の動作を示すフローチャート
【符号の説明】
【００３１】
１  電話通信手段
２  メール作成機能起動指示手段
３  通信切断手段
４  メール作成機能起動手段
５  メール転送相手選択手段
６  通信先情報記憶手段
【図１】
2007020053.tif 000003
【図２】
2007020053.tif 000004